(57)【要約】【課題】  捕虫が容易な照明器具を提供する。【解決手段】  天井との接続部と、光源と、前記光源が放射した光を床面側へ透過させる透光部と、前記光源が放射した光に誘引される虫が侵入する開口部を有した捕虫部と、を備えた照明器具において、前記開口部は、照明器具の床面側に設けられているものである。【選択図】図２
2020064768.tif 000002
【特許請求の範囲】
【請求項１】
天井との接続部と、光源と、前記光源が放射した光を床面側へ透過させる透光部と、前記光源が放射した光に誘引される虫が侵入する開口部を有した捕虫部と、を備えた照明器具において、
前記開口部は、照明器具の床面側に設けられている照明器具。
【請求項２】
請求項１に記載の照明器具において、
前記捕虫部は、前記透光部の略中央に設けられている照明器具。
【請求項３】
請求項１または２に記載の照明器具において、
前記捕虫部は、前記透光部から着脱可能である照明器具。
【請求項４】
請求項３に記載の照明器具において、
前記捕虫部の前記光源側は開口されている照明器具。
【請求項５】
請求項１から４の何れか一項に記載の照明器具において、
前記開口部近傍の前記光源には、前記光源とは異なる第二の光源を設けた照明器具。
【請求項６】
請求項５に記載の照明器具において、
前記第二の光源の波長域は２５０ｎｍから４５０ｎｍである照明器具。
【発明の詳細な説明】
【技術分野】
【０００１】
本発明は、照明器具に関する。
【背景技術】
【０００２】
従来の屋内の照明器具においては、照明器具の光源からの光に虫が誘引され、照明器具の周囲を飛び回ることがある。この場合、屋内の人に不快感を与えることとなる。特許文献１には、照明器具の取付面側（天井や壁側等、主に証明する方向と反対側）に捕虫部品が設けられた照明器具が記載されている。
【先行技術文献】
【特許文献】
【０００３】
【特許文献１】特開２００５−１００８０９号公報
【発明の概要】
【発明が解決しようとする課題】
【０００４】
ところで、天井面に取り付けられた照明器具から放射される光は、天井面側よりも床面側の方が強く、光に誘引される虫は照明器具の床面側に誘引されやすい。特許文献１に記載の照明器具は、照明器具の取付面側に捕虫部品が設けられているため、照明器具の光に誘引されて照明器具の床側に集まった虫を捕まえにくいという欠点があった。
【０００５】
本発明は、捕虫が容易な照明器具を提供することを目的とする。
【課題を解決するための手段】
【０００６】
本発明は、上記の課題を解決するためになされたものである。天井との接続部と、光源と、光源が放射した光を床面側へ透過させる透光部と、光源が放射した光に誘引される虫が侵入する開口部を有した捕虫部と、を備えた照明器具において、開口部は、照明器具の床面側に設けられているものである。
【発明の効果】
【０００７】
本発明によれば、捕虫が容易な照明器具を提供することができる。上記した以外の課題、構成及び効果は以下の実施形態の説明により明らかにされる。
【図面の簡単な説明】
【０００８】
【図１】本発明の一実施例に係る、捕虫部が装着された照明器具の外観図である。
【図２】本発明の一実施例に係る、分解された照明器具の図である。
【図３】本発明の一実施例に係る、捕虫部の図である。
【図４】本発明の一実施例に係る、接着部が設けられた捕虫部の図である。
【図５】本発明の一実施例に係る、透光部が外された状態で誘引用光源有りの照明器具の図である。
【図６】本発明の一実施例に係る、透光部が外された状態で誘引用光源無しの照明器具の図である。
【発明を実施するための形態】
【０００９】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の実施例の構成を適宜組み合わせることも当初から予定している。また、本発明を説明するための全図において、同一の機能を有するものは、同一の符号を付け、その繰り返しの説明は省略する場合がある。
【００１０】
図１は、本発明の一実施例に係る、捕虫部が装着された照明器具の外観図である。
【００１１】
照明器具１は、後述する照明器具１の光源から放射された光を透過する透光部１０と、虫を捕える捕虫部１００を備えている。捕虫部１００には４つの貫通孔１０１が有り、照明器具１の光源から放射された光に誘引された虫などは、この貫通孔１０１から捕虫部１００の内部に侵入する。なお、貫通孔１０１の数は４つに限られず、１つ以上の貫通孔が設けられていればよい。また、照明器具１の下方にいる使用者から見える貫通孔１０１の穴の形状は、図１に示すような楕円型に限られない。
【００１２】
図２は、本発明の一実施例に係る、分解された照明器具の図である。
【００１３】
照明器具１は、天井等への接続部２と、ＬＥＤ光源３と、ＬＥＤ光源３とは異なる波長域の誘引用ＬＥＤ光源４を備えている。ＬＥＤ光源３には主として３８０ｎｍ〜７８０ｎｍの波長域となるＬＥＤを用いている。誘引用ＬＥＤ光源４には２５０ｎｍ〜４５０ｎｍの高い誘虫性を持つ波長域となるＬＥＤを用いている。誘引用ＬＥＤ光源４は、捕虫部１００の近傍に設置されている。これにより、照明器具1の床面側に集まった虫は、誘引効果の高い誘引用LED光源４から放射される光により捕虫部１００付近に集まりやすく、捕虫効果を高める効果がある。
【００１４】
照明器具のうち天井に接続されている部分から透光部１０は着脱可能であり、透光部１０から捕虫部１００も着脱可能である。そして、透光部１０の略中央付近には捕虫部１００と同形状の開口部が設けられており、この開口部に捕虫部１００が螺合されて装着される。よって、捕虫部１００に捕えられた虫を捨てるためにわざわざ透光部１０を外す必要はなく、捕虫部１００を外して虫を捨てることができる。これにより、透光部１０が大きいことに起因して透光部１０を外す際に透光部１０が傾いてしまい、虫が落ちてくるということを防ぐことができる。また、透光部１０と比べて捕虫部１００は小さいため、虫をゴミ箱に正確に捨てることができる。
【００１５】
また、貫通孔１０１を人の指が入る大きさにすることで、貫通孔１０１に指を差し込んで透光部１０から捕虫部１００を外すことができる。
【００１６】
なお、捕虫部１００が設けられる位置１１は透光部１０の略中央付近に限られず、例えば透光部１０の円周端付近に設けてもよい。また、透光部１０の略中央付近に捕虫部１００を設け、捕虫部１００の大きさを照明器具１における接続部２の開口部の大きさよりも小さくすることで、照明器具１の発する光を捕虫部１００が遮る影響を小さくすることができる。言い換えると、接続部２の開口部にはＬＥＤ光源３や誘引用ＬＥＤ光源４は設けられていないため、ＬＥＤ光源３などが設けられている領域の床側に捕虫部１００を設けるのに比べて、照明器具１の発する光を捕虫部１００が遮る影響を小さくすることができる。
【００１７】
図３は、本発明の一実施例に係る、捕虫部１００の図である。
【００１８】
捕虫部１００には貫通孔１０１が設けられており、照明器具１の光に誘引された虫は貫通孔１０１から捕虫部１００の内部に侵入する。貫通孔１０１は捕虫部１００の内部方向へ向かうほど穴径が小さくなっており、虫が捕虫部１００内部へ誘引されやすくなっている。また、貫通孔１０１は天井側に突出した形状となっており、捕虫部１００内部に侵入した虫が外へ出辛い構造となっている。
【００１９】
また、図２の透光部１０の捕虫部が設けられる位置１１において、捕虫上方部１０２と接する場所に板材などが設けられている場合は、捕虫部１００内部に侵入した虫がＬＥＤ光源３などが設けられている空間に逃げる恐れがないため、捕虫上方部１０２を開口させることができる。これにより、捕虫部１００内部の虫を容易に捨てることができる。
【００２０】
一方、図２の透光部１０の捕虫部が設けられる位置１１において、捕虫上方部１０２と接する場所には板材などが設けられていない場合、つまり開口部となっている場合は、捕虫上方部１０２は塞がれている必要が有る。これにより、捕虫部１００内部の虫がＬＥＤ光源３などが設けられている空間に逃げないようにすることができる。
【００２１】
図４は、本発明の一実施例に係る、接着部が設けられた捕虫部の図である。
【００２２】
捕虫部１００内部の床側には、捕虫部１００内部に侵入した虫を捕捉する粘着部１０３が設けられている。これにより、捕虫部１００内部に侵入した虫が、貫通孔１０１を通過して捕虫部１００外部に逃げるのを防ぐことができる。なお、粘着部１０３は接着シートなどの粘着性がある部材が望ましい。しかし。粘着部１０３は捕虫部１００内部に侵入した虫を留める役割を果たせばよいことから、虫が好む香りが浸透されたシートなどでも良い。
【００２３】
図５は、本発明の一実施例に係る、透光部が外された状態で誘引用光源有りの照明器具の図である。
【００２４】
照明器具には天井等への接続部２と、ＬＥＤ光源３と、ＬＥＤ光源３とは異なる波長域の誘引用ＬＥＤ光源４を備えている。誘引用ＬＥＤ光源４を設けることで、虫を誘引用光源４近傍に誘引することが出来る。なお、誘引用光源４近傍に捕虫部品を設けることで捕虫効果を高めることが出来る。
【００２５】
図６は、本発明の一実施例に係る、透光部が外された状態で誘引用光源無しの照明器具の図である。
【００２６】
照明器具には天井等への接続部２と、ＬＥＤ光源３を備えている。ＬＥＤ光源３により照明器具下面に集まった虫を捕虫する。
【符号の説明】
【００２７】
１・・・照明器具
２・・・接続部
３・・・ＬＥＤ光源
４・・・誘引用ＬＥＤ光源
１０・・・透光部
１１・・・捕虫部が設けられる位置
１００・・・捕虫部
１０１・・・貫通孔
１０２・・・捕虫上方部
１０３・・・粘着部
【図１】
2020064768.tif 000003
【図２】
2020064768.tif 000004
【図３】
2020064768.tif 000005
【図４】
2020064768.tif 000006
【図５】
2020064768.tif 000007
【図６】
2020064768.tif 000008